(57)【特許請求の範囲】
【請求項１】
給気口を具備した外装ケースと、当該外装ケースの内部側に配され前記給気口に対向する仕切り部材と、前記外装ケースと前記仕切り部材とにより構成される空気導入流路と、前記給気口から前記空気導入流路に流入した空気の流れ方向を偏向させる偏向手段とを有し、
偏向手段は、給気口から流入した空気の流れ方向下流側に向かうに従い流路断面積を縮小させる流路狭小手段を具備していることを特徴とする燃焼装置。
【請求項２】
外装ケースの内部には、仕切り部材および外装ケースにより構成され、給気口から流入した空気を上方に立ち上げる空気導入流路と、仕切り部材および偏向部材により構成され上下方向に連通した折り返し流路とを有し、前記空気導入流路は、前記偏向手段により偏向され、前記折り返し流路に連通していることを特徴とする請求項１に記載の燃焼装置。
【請求項３】
折り返し流路の下流側の端部は、空気導入流路の下流側の端部よりも下方に位置することを特徴とする請求項２に記載の燃焼装置。
【請求項４】
折り返し流路は、流路狭小手段の先端側において閉塞されており、流路狭小手段の側面側において外装ケースの内部に開放されていることを特徴とする請求項２又は３に記載の燃焼装置。
【請求項５】
給気口には、ガラリが設けられていることを特徴とする請求項１乃至４のいずれかに記載の燃焼装置。
【発明の詳細な説明】
【０００１】
【発明の属する技術分野】
本発明は、燃焼装置に関するものであり、特に外装ケース部分に特徴を有する燃焼装置に関するものである。
【０００２】
【従来の技術】
従来より、燃焼装置の耐風性能を確保すべく、図５に示すように燃焼装置の外装ケース１００には、一般的にガラリ１０１を備えた給気口１０２が設けられている。外装ケース内１００への雨水やほこりなどの浸入を防止すべく、外装ケース１００の内部側で給気口１０２に相当する位置には、仕切り板１０３が設けられている。仕切り板１０３と外装ケース１００の内面との間には空気流路１０５が形成されており、給気口１０２から流入した空気が流れる。仕切り板１０３の下方には、外装ケース側に屈曲し、給気口に連続した係合部１０６が設けられている。給気口１０２から取り込まれた外気は、仕切り板１０３に誘導されて空気流路１０５の上方側に送られ、外装ケース１００の内部に拡散する。また、外気と共に給気口から流入した雨水や埃等は、空気流路１０５内を係合部１０６側に落下する。係合部１０６に落下した雨水や埃は、係合部１０６を伝って給気口１０５に至り、給気口１０５から外装ケース１００の外部へと排出される。
【０００３】
【発明が解決しようとする課題】
上記したように、空気流路１０５において給気口１０２から流入した外気と、雨水や埃等とが分離され、外気が外装ケース１００内の機器側に流れ込む。しかし、多くの場合、空気流路１０５内において雨水や埃等と外気とを分離しきれず、雨水や埃等の一部が、外装ケース１００内の機器側に流れ込んでしまい、特に雨水や埃に弱い電装部品等は悪影響を受けてしまう。従って、従来の燃焼装置においては、雨水や埃等によって悪影響を受ける電装部品等の構成部材は、給気口１０２から離れた位置に配置しなければならない。そのため、従来の燃焼装置は、外装ケース１００内に収納される構成部材のレイアウトが自由に行えず、装置全体の小型化が困難であるという問題があった。
【０００４】
そこで、本発明は、燃焼駆動に充分な量の外気を外装ケース内に取り込みつつ、雨水や埃等の外装ケース内への浸入を阻止可能な構造を有する燃焼装置を提供することを目的とした。
【０００５】
【課題を解決するための手段】
そこで、上記した問題を解決すべく提供される請求項１に記載の発明は、給気口を具備した外装ケースと、当該外装ケースの内部側に配され前記給気口に対向する仕切り部材と、前記外装ケースと前記仕切り部材とにより構成される空気導入流路と、前記給気口から前記空気導入流路に流入した空気の流れ方向を偏向させる偏向手段とを有し、偏向手段は、給気口から流入した空気の流れ方向下流側に向かうに従い流路断面積を縮小させる流路狭小手段を具備していることを特徴とする燃焼装置である。
【０００６】
給気口から外装ケース内に流入した空気は、空気導入流路を通り偏向手段により偏向された後に外装ケース内を通り、内部に収納されている機器側に供給される。給気口から空気と共に外装ケース内に浸入した雨水や埃などは、空気導入流路を通り偏向手段により偏向され落下する間に分離される。そのため、外装ケース内に収納されている機器等に供給される空気には、雨水や埃などがほとんど含まれていない。よって、上記した構成によれば、給気口から浸入した雨水や埃などによる装置の故障がほとんど起こらず、燃焼駆動を安定して行える。
【０００７】
本発明の燃焼装置は、偏向手段が、給気口から流入した流体の流れ方向下流側に向かうに従い流路断面積を縮小させる流路狭小手段を具備している。よって、給気口から流入した空気が流路狭小手段が設けられた流路断面積の小さな部分に至ると、雨水や埃等の混入物質は、空気により偏向手段、外装ケースおよび仕切り部材やその他の部材に押しつけられ、捕捉される。そのため、上記した構成によれば、雨水や埃等の混入物質を一層確実に捕捉し、外装ケース内の機器側への浸入を阻止すると共に、乾燥し不純物を含まない空気を機器側へ供給することができる。
【０００８】
請求項２に記載の発明は、外装ケースの内部には、仕切り部材および外装ケースにより構成され、給気口から流入した空気を上方に立ち上げる空気導入流路と、仕切り部材および偏向部材により構成され上下方向に連通した折り返し流路とを有し、前記空気導入流路は、前記偏向手段により偏向され、前記折り返し流路に連通していることを特徴とする請求項１に記載の燃焼装置である。
【０００９】
かかる構成によれば、給気口から流入した空気は、空気導入流路内を上方に移動したのち、偏向部材によって形成される折り返し流路内を下方に流れる。そのため、給気口より導入された空気と共に外装ケース内に浸入した雨水や埃等は、折り返し流路内を流れる際に外装ケース内に落下し、空気と分離され捕捉される。従って、上記した構成によれば、雨水や埃等が外装ケース内に収納されている機器に至らず、当該機器の故障を未然に防止できる。
【００１０】
【００１１】
請求項３に記載の発明は、折り返し流路の下流側の端部が、空気導入流路の下流側の端部よりも下方にあることを特徴とする請求項２に記載の燃焼装置である。
【００１２】
上記した構成によれば、折り返し流路に流れ込んだ空気を確実に下方に流すことができる。そのため、給気口より導入された空気と共に外装ケース内に浸入した雨水や埃等は、折り返し流路内を流れる際に重力により外装ケース内に落下し、空気と確実に分離され捕捉される。よって、上記した構成によれば、雨水や埃等の機器に悪影響を及ぼす物質を確実に捕捉し、外装ケース内に清浄で乾燥した空気を供給できる。
【００１３】
【００１４】
偏向手段が、給気口から流入した流体の流れ方向下流側に向かうに従い流路断面積を縮小させる流路狭小手段を具備していることを特徴とする燃焼装置では、給気口から流入した空気が流路狭小手段が設けられた流路断面積の小さな部分に至ると、雨水や埃等の混入物質は、空気により偏向手段、外装ケースおよび仕切り部材やその他の部材に押しつけられ、捕捉される。そのため、上記した構成によれば、雨水や埃等の混入物質を一層確実に捕捉し、外装ケース内の機器側への浸入を阻止すると共に、乾燥し不純物を含まない空気を機器側へ供給することができる。
【００１５】
請求項４に記載の発明は、折り返し流路が、流路狭小手段の先端側において閉塞されており、流路狭小手段の側面側において外装ケースの内部に開放されていることを特徴とする請求項２又は３に記載の燃焼装置である。
【００１６】
かかる構成によれば、折り返し流路内を流れる空気を、流路狭小手段の先端側において偏向させ、側面側から外装ケース内に流出させることができる。また、上記した構成によれば、折り返し流路内を流れる空気中に含まれている水分や埃等は、流路狭小手段の先端側の閉塞部分において空気が衝突した際に、当該閉塞部分に付着し、捕捉される。従って、流路狭小手段の側面側から外装ケース内に流入する空気は、水分や埃等の混入物質の少ない清浄な空気であり、外装ケース内に収納されている機器類に悪影響を与えない。
【００１７】
請求項５に記載の発明は、給気口には、ガラリが設けられていることを特徴とする請求項１乃至４のいずれかに記載の燃焼装置である。
【００１８】
かかる構成によれば、給気口から流入する空気と共に外装ケース内に浸入する雨水や埃等の混入物質の流入を最小限に抑制することができる。
【００１９】
【発明の実施の形態】
以下、本発明の一実施形態である燃焼装置について、図面を参照しながら詳細に説明する。図１は、本実施形態の燃焼装置の内部構造を示す図である。図２は、図１に示す燃焼装置が備えるフロントカバーを示す正面図である。また、図３は、図１に示す燃焼装置の特徴部分を示す要部拡大断面図である。図４は、図１に示す燃焼装置が備えるガラリカバー、並びに、風向ガイドを示す斜視図である。図１において、１は本実施形態の燃焼装置である。なお、以下の説明において、上下左右等の位置関係は、図中に示す姿勢を基準とする。
【００２０】
燃焼装置１は、収納部２およびフロントカバー３により構成される外装ケース５を有する。収納部２は、正面側が開口した鋼板製の箱体であり、燃焼装置１の天面６、底面７、左方側面８、右方側面１０および背面１１を構成している。収納部２には、送風部１２、燃焼部１３，熱交換部１５、排気筒１６および電装装置１７が一体化されて収納されている。また、フロントカバー３は、収納部２の正面側の開口を覆う鋼板製の部材であり、燃焼装置１の正面を構成するものである。
【００２１】
収納部２およびフロントカバー３には、図２，３に示すように一部が切り起こされ、ガラリ１８を備えた給気口１９ａ，１９ｂ，１９ｃ，１９ｄ，１９ｅからなる給気口群１９が形成されている。給気口１９は、右方側面１５の短手方向に延伸したスリット状の開口である。ガラリ１８は、給気口１９の上端側に設けられた庇状の部位であり、その固定端側は給気口１９の上端にあり、自由端側は燃焼装置１の外側に向けて突出している。
【００２２】
フロントカバー３の右上方には、図２に示すように給気口群１９が上下方向に３つ並列に配された給気部２０ａがあり、左下方には６つの給気口群１９からなる給気部２０ｂがある。また、フロントカバー３の上方には、排気筒１６の開口に連通する開口部２４が設けられている。背面１１には、図１に示すようにフロントカバー３に設けた給気部２０ａに相当する位置よりもやや上方に給気部２０ｃがあり、給気部２０ｂに相当する位置に給気部２０ｄが設けられている。
【００２３】
図３に示すように、外装ケース５の内側で、フロントカバー３の右上方に設けられた給気部２０ａに対向する位置には、ガラリカバー２１が設けられている。ガラリカバー２１は、鋼板をプレス成形により屈曲させ、一部を切り起こすことにより成形されたものである。ガラリカバー２１は、図４に示すように仕切り部２２、閉塞壁部２３ａ，２３ｂ，２３ｃ、係合部３０、側壁部２６およびフランジ部２７により構成されている。
【００２４】
仕切り部２２は、ガラリカバー２１の主要部をなす部分である。仕切り部２２は、平坦な板状体であり、その長尺方向の長さＬは、給気部２０の上下方向の長さＷよりも長い。即ち、仕切り部２２は、給気部２０に対向配置した場合に、給気部２０を構成する全ての給気口１９に仕切り部２２が対向可能な大きさを有する。仕切り部２２の長尺方向の端部には、仕切り部２２に対して垂直方向に折り返すことにより、閉塞壁部２３ａが形成されている。また、仕切り部２２は、長尺方向の中途において２箇所切り起こされており、これにより閉塞壁部２３ｂ，２３ｃおよび開口部２８ａ，２８ｂが形成されている。閉塞壁部２３ｂ，２３ｃは、上記した閉塞壁部２３ａと同一方向に折り返されている。閉塞壁部２３ａと閉塞壁部２３ｂとの間隔ｘ1 および閉塞壁部２３ｂと閉塞壁部２３ｃとの間隔ｘ2 は、給気口１９ａの上端から給気口１９ｅの下端に至る長さＸと略同一である。
【００２５】
閉塞壁部２３ａ，２３ｃの端部は、下方側に垂直に折り返されており、これにより係合部３０が形成されている。係合部３０は、給気口１９ｅにちょうど係合可能な大きさを有する。ガラリカバー２１は、図４に示すように係合部３０を給気口１９ｅに係合させることにより外装カバー２１の内部側に固定される。
【００２６】
側壁部２６は、仕切り部２２に連続しており、仕切り部２２に対して垂直な面である。また、フランジ部２７は、側壁部２６に連続しており、側壁部２６に対して垂直で、仕切り部２２に対して水平な部分である。フランジ部２６には、貫通孔３１，３１ｂが設けられている。貫通孔３１ａ，３１ｂは、周囲にバーリング加工が施されており、周囲に仕切り部２２側に突出したバーリング部（図示せず）が設けられている。
【００２７】
ガラリカバー２１は、係合部３０を給気口１９ｅに係合させることによりにより外装ケース５に対して位置決めされている。ガラリカバー２１および外装ケース５のフロントカバー３との間には、閉塞壁部２３ａ，２３ｂおよび側壁部２６によって上方、下方および側方が閉塞され、開口部２８ａにおいて後述する折り返し流路５３に連通した空気流路２９ａが形成されている。また、同様に、閉塞壁部２３ｂ，２３ｃおよび側壁部２６によって上方、下方および側方が閉塞され、開口部２８ｂにおいて折り返し流路５３に連通した空気流路２９ｂが形成されている。さらに、閉塞壁部２３ｃおよび側壁部２６によって下方および側方が閉塞され、天面側が開口した空気流路２９ｃが形成されている。従って、閉塞壁部２３ｂ，２３ｃは、閉塞壁部２３ａと同様に空気流路３２ｂ，３２ｃを閉塞すると共に、空気流路３２ａ，３２ｂ内を上方流れる空気を折り返し流路５３側に偏向させる偏向手段としても機能している。
【００２８】
風向ガイド４０（偏向部材）は、外装ケース５の内側で、フロントカバー３およびガラリカバー２１に対向する位置に設けられるものである。さらに詳細には、風向ガイド４０は、ガラリカバー２１を包囲するようにフロントカバー３の内部側に位置決めされ固定されている。風向ガイド４０は、鋼板をプレス成形するなどして屈曲させ、折返流路形成部４１および流路狭小部４３（流路狭小手段）を成形したものである。折返流路形成部４１は、上記したガラリカバー２１が備える空気流路形成壁部２２とほぼ同様の構造であり、ガイド壁部４５、偏向壁部４６、側壁部５２およびフランジ部４８を有する。また、折辺流路形成壁部３６は、底面側と正面側とが開放された箱状体である。ガイド壁部４５は平坦な板体であり、ガラリカバー２１の仕切り部２２よりも一回り大きい。
【００２９】
側壁部４７は、ガイド壁部４５に連続した部分であり、ガイド壁部４５に対して垂直な平面である。側壁部５２の短手方向の長さＤ（以下折り返し長さＤと称す）は、ガラリカバー２１の側壁部２６の短手方向の長さｄ（以下折り返し長さｄと称す）よりも長い。また、フランジ部４８は、側壁部５２に対して垂直で折返流路形成壁部３６に対して平行な面であり、風向ガイド４０の外方に向けて突出している。フランジ部４８は、ガラリカバー２１のフランジ部２７に設けられた貫通孔３１ａ，３１ｂに相当する位置に貫通孔５０ａ，５０ｂが設けられており、これらはそれぞれ貫通孔３１ａ，３１ｂに設けられたバーリング部（図示せず）が係合可能な大きさを有する。風向ガイド４０は、貫通孔５０ａ，５０ｂと貫通孔３１ａ，３１ｂのバーリング部とを係合させることによりガラリカバー２１に対して位置決めされる。
【００３０】
偏向壁部４６は、折返流路形成部４１の主要部をなすガイド壁部４５の上方側の端部を折り返したものである。空気流路２９ｃおよび折返流路形成部４１の上端は、偏向壁部４６により閉塞されている。
【００３１】
風向ガイド４０は、折返流路形成部４１の下方に流路狭小部４３を有する。流路狭小部４３は、ガイド壁部４５に連続した部分であり、狭小壁部５１と側壁部５２とにより構成されている。狭小壁部５１は、ガイド壁部３３に対して風向ガイド４０の正面側に傾斜した部分である。さらに詳細には、狭小壁部５１は、ガイド壁部４５に対して４５度程度風向ガイド４０の正面側に傾斜している。側壁部５２は、狭小壁部５１の左右側の端部を上方に垂直に折り返したものである。
【００３２】
風向ガイド４０は、図４中に矢印でに示すようにガラリカバー２１と重ね合わせて一体化される。ガラリカバー２１の側壁部２６およびフランジ部２７は、風向ガイド４０の側壁部５２およびフランジ部４８において密接している。ガラリカバー２１と風向ガイド４０とは、フランジ部２７の貫通孔３１ａ，３１ｂに設けられたバーリング部（図示せず）をフランジ部４８の貫通孔に挿通することにより位置決めされる。ガラリカバー２１の仕切り部２２と、風向ガイド４０のガイド壁部４５とは折り返し長さＤ，ｄの差に相当する間隔をおいて略平行となっている。また、風向ガイド４０の狭小壁部５１は、先端が外装ケース５のフロントカバー３に当接する。これにより、ガラリカバー２１の仕切り部２２と風向ガイド４０のガイド壁部４５との間には、偏向壁部４６および狭小壁部５１により、上方および下方側の端部が閉塞された折り返し流路５３が形成されている。
【００３３】
折り返し流路５３は、外装ケース５の右方側面１０とガラリカバー２１とにより構成され、閉塞壁部２３ａ，２３ｂおよび偏向壁部４６において偏向された空気流路３２ａ，３２ｂ，３２ｃに連通している。折り返し流路５３は、流路狭小部４３において流路断面積が大幅に縮小されている。また、折り返し流路５３は、狭小壁部５１の先端側が外装ケース５により閉塞されており、この側面側に開口部５５が設けられている。従って、折り返し流路５３は、開口部５５において外装ケース２に開放されている。
【００３４】
収納部２の内部には、図１に示すように送風部１２、燃焼部１３、熱交換部１５および排気筒１６が一体化され収納されている。さらに外装ケース２の内部には、燃焼装置１の駆動制御を行う駆動制御手段（図示せず）等を内蔵した電装装置１７が収納されている。送風部１２は、モータの回転によりファンが回転する、シロッコファンやターボファンのような送風機を有するものであり、外気を燃焼部１３へと供給するものである。熱交換部１５は、燃焼部１３で燃料を燃焼し発生した高温の燃焼ガスと熱交換を行い、湯水や熱媒体を加熱する部分である。排気筒１６は、下面および左方側面に開口を有する箱形体であり、熱交換部１５の上方に覆い被さるように配置されている。燃焼部１３において発生した高温の燃焼ガスは、熱交換部１５において熱交換を行った後、排気筒１６内に流れ込み、排気口５８に設けられた開口から外部へと排出される。
【００３５】
続いて、本実施形態の燃焼装置１における、給気口１９から流入した空気および雨水や埃等の混入物質の流れについて説明する。給気口１９から外装ケース５内に流入した空気と、当該空気と共に給気口１９から浸入した混入物質とは、図３に矢印で示すように空気流路３２ａ，３２ｂ，３２ｃ内に流入し上昇する。空気流路３２ａ，３２ｂ，３２ｃ内を上昇する際に、空気と共に浸入した雨水や埃等の一部は、重力の影響を受けて閉塞壁部２３ａ，２３ｂ，２３ｃ側に落下する。空気流路３２ａ，３２ｂ，３２ｃ内を落下した雨水や埃等の混入物質は、閉塞壁部２３ａ，２３ｂ，２３ｃに沿って移動し、給気口１９ｅから外装ケース５の外部に流出する。
【００３６】
空気流路３２ａ，３２ｂの上端まで至った空気および混入物質の残部は、それぞれ閉塞壁部２３ｂ，２３ｃの下面側に衝突する。偏向壁部４６に衝突した空気等は、開口２８ａ，２８ｂから折り返し流路５３に流入する。一方、空気流路３２ｃの上端まで至った空気および混入物質の残部は、偏向壁部４６に衝突する。偏向壁部４６に衝突した空気等は、空気流路３２ｃに連続した折り返し流路５３に流入する。
【００３７】
空気流路３２ａ，３２ｂ，３２ｃから折り返し流路５３内に流入した空気等は、ガイド壁部３６，仕切り部２２および側壁部５２に衝突しながら下方へと進む。折り返し流路５３内を流れる空気に混入している雨水や埃等の混入物質の一部は、折り返し流路５３を構成する壁面に衝突した際にこれらの壁面に付着し、捕捉される。折り返し流路５３を構成する壁面に付着した混入物質は、これらの壁面に沿って落下し、外部に排出される。また、折り返し流路５３内に浸入した混入物質の一部は、混入物質自身に作用する重力により落下し、外部に排出される。
【００３８】
折り返し流路５３内を流れる空気に混入し、当該空気中に浮遊している混入物質の残部は、狭小壁部５１により構成されている流路狭小部４３に流れ込む。折り返し流路５３は、流路狭小部４６によりその流路断面積が縮小されている。そのため、折り返し流路５３内を流れる空気は、流路狭小部４６により加勢される。流路狭小部４６を出た空気は、外装ケース５のフロントカバー３に衝突した後、風向きを変えて開口部５５から外装ケース５の内部方向へと流れる。
【００３９】
流路狭小部４３に至った混入物質の残部は、流路狭小部４６により加勢された空気に乗ってフロントカバー３や狭小壁部５１等に衝突する。この際、空気に混入していた雨水や埃は、フロントカバー３や狭小壁部５１等に付着し、捕捉される。ここで、狭小壁部５１は、ガイド壁部３３に対して風向ガイド４０の正面側に傾斜した部分であり、折り返し流路５３を流れる空気が直接当たる部分である。従って、折り返し流路５３内を流れる空気に乗って流路狭小部４３に至った混入物質は、当該混入物質自身に作用する重力により狭小壁部５１に密着し、確実に捕捉される。またさらに、狭小壁部５１に付着した混入物質は、折り返し流路５１を流れ狭小壁部５１に衝突する空気によって狭小壁部５１側に押さえ付けられるため、狭小壁部５１に確実に捕捉される。
【００４０】
フロントカバー３に衝突した空気は、進行方向が側方に変換され、折り返し流路５３の側面側に設けられた開口部５５から外装ケース５に沿って流れる。外装ケース５に沿って流れる空気は、次第に外装ケース５の壁面から離れて収納部２に収納された機器側に至る。
【００４１】
ここで、開口部５５から流出した空気に、雨水等の混入物質が混ざっていても、この混入物質は、空気が外装ケース５に沿って流れる間に外装ケース５の壁面に付着し、捕捉される。そのため、外装ケース５の壁面から離れ、収納部２側に流入した空気は、乾燥し清浄な状態で機器側に供給される。
【００４２】
上記したように、本実施形態の燃焼装置１において、給気口１９から浸入した雨水や埃等の混入物質は、空気が閉塞壁部２３ｂ，２３ｃおよび偏向壁部４６において偏向され折り返し流路５３内を下降する際に、雨水や埃に作用する重力により分離される。また、混入物質は、折り返し流路５３内を流れる空気が仕切り部２２、ガイド壁部４５、狭小壁部５１等の壁面に衝突する際に、これらの壁面に付着し、捕捉される。そのため、給気口１９から流入した空気が開口部５５から収納部２内の機器側に流出する際には、空気中には雨水や埃等がほとんど含まれていない。また、流路狭小部４３に至った混入物質は、重力により狭小壁部５１に落下し、確実に捕捉される。よって、燃焼装置１は、給気口１９からがイソーケース５内に雨水や埃等の浸入物質が流入しても、この浸入物質はガラリカバー２１および風向ガイド４０において捕捉されるため、浸入物質による電装機器等の装置の故障が起こらず、燃焼駆動を安定して行える。
【００４３】
【発明の効果】
請求項１に記載の発明によれば、給気口から流入した空気と雨水や埃等とを偏向手段により偏向させ落下させる間に分離し、清浄で乾燥した空気を装置に供給することができ、故障の少ない燃焼装置を提供することができる。
【００４４】
請求項２に記載の発明によれば、給気口から流入した空気を折り返し流路内に導入し下方に流すことにより、空気と空気以外の物質とを分離することができる。
【００４５】
請求項３に記載の発明によれば、折り返し流路に流れ込んだ空気を確実に下方に流すことができ、空気と雨水や埃等の混入物質とを確実に分離することができる。
【００４６】
請求項１に記載の発明によれば、空気中に含まれる雨水や埃等の混入物質を一層確実に捕捉し、外装ケース内の機器側への浸入を阻止すると共に、乾燥し不純物を含まない空気を機器側へ供給することができる。
【００４７】
請求項４に記載の発明によれば、流路狭小手段の側面側から外装ケース内に水分や埃等の混入物質の少ない清浄な空気を供給することができ、外装ケース内に収納されている機器類に悪影響を与えることなく燃焼駆動できる。
【００４８】
請求項５に記載の発明によれば、給気口から流入する空気と共に外装ケース内に浸入する雨水や埃等の混入物質の流入を最小限に抑制することができる。
【図面の簡単な説明】
【図１】  （ａ）は本発明の一実施形態である燃焼装置の正面図であり、（ｂ）は（ａ）に示す燃焼装置の側面図である。
【図２】  図１に示す燃焼装置が備えるフロントパネルの正面図である。
【図３】  図１に示す燃焼装置の要部拡大断面図である。
【図４】  図１に示す燃焼装置が備えるガラリカバー、並びに、風向ガイドを示す斜視図である。
【図５】  従来の燃焼装置の要部拡大断面図である。
【符号の説明】
１  燃焼装置
５  外装ケース
１８  ガラリ
１９ａ，１９ｂ，１９ｃ，１９ｄ，１９ｅ  給気口
２１  ガラリカバー
２２  仕切り部
３２ａ，３２ｂ，３２ｃ  空気流路（空気導入流路）
４０  風向ガイド
４３  流路狭小部
４６  偏向壁部
【図１】
0003965561.tif 000002
【図２】
0003965561.tif 000003
【図３】
0003965561.tif 000004
【図４】
0003965561.tif 000005
【図５】
0003965561.tif 000006